(57)【要約】【課題】電気通信ユニットを有するレンズアダプタと撮像装置との間にスペーサを介在させる場合でも、簡単な構造でレンズアダプタと撮像装置との電気的な接続の信頼性を確保する技術を提供する。【解決手段】交換レンズ１５０がレンズアダプタ４００を介して着脱可能に装着され、レンズアダプタ４００に設けられた電気通信ユニット４３０を介して交換レンズ１５０と通信可能に接続される撮像装置１００であって、光軸方向に延びてそれぞれの板面を互いに対向させた状態で並設された複数の板状端子２６２ａ〜２６２ｊにより櫛歯状に構成される電気接続部２６０を有する。電気接続部２６０は、レンズアダプタ４００の電気通信ユニット４３０に設けられた一対の弾性接触片４５５により板状端子２６２ａ〜２６２ｊがそれぞれ板厚方向に挟み込まれることにより電気通信ユニット４３０と電気的に接続され、板状端子２６２ａ〜２６２ｊは、一対の弾性接触片４５５との接触部が光軸方向に摺動可能に設けられている。【選択図】図１６
2019133194.tif 000002
【特許請求の範囲】
【請求項１】
交換レンズがレンズアダプタを介して着脱可能に装着され、前記レンズアダプタに設けられた電気通信ユニットを介して前記交換レンズと通信が可能に接続される撮像装置であって、
前記電気通信ユニットの端子と電気的に接続される電気接続部が櫛歯状端子により形成され、前記櫛歯状端子は、前記電気通信ユニットの端子との接触部が前記電気通信ユニットの端子に対して摺動可能に設けられていることを特徴とする撮像装置。
【請求項２】
前記櫛歯状端子は、光軸方向に延びてそれぞれの板面を互いに対向させた状態で並設された複数の板状端子により構成されていることを特徴とする請求項１に記載の撮像装置。
【請求項３】
前記櫛歯状端子は、前記撮像装置の底面側に配置され、前記複数の板状端子は、それぞれの板面を光軸と直交する前記撮像装置の幅方向に互いに対向させた状態で並設されていることを特徴とする請求項２に記載の撮像装置。
【請求項４】
前記櫛歯状端子は、前記レンズアダプタの前記電気通信ユニットに設けられた、前記交換レンズが電気的に接続される電気接続部より径方向外側に配置されていることを特徴とする請求項１又は２に記載の撮像装置。
【発明の詳細な説明】
【技術分野】
【０００１】
本発明は、電気通信ユニットを有するレンズアダプタを介して交換レンズが着脱可能に装着される例えばデジタルカメラ等の撮像装置に関する。
【背景技術】
【０００２】
レンズ交換型のカメラでは、レンズマウントの形状と異なるレンズマウントを有する交換レンズをカメラに装着する際には、レンズアダプタを介してカメラのレンズマウントに対して交換レンズを着脱可能に装着している。また、レンズアダプタとして、交換レンズとカメラとの通信を可能とするため、電気通信ユニットを有するものがある。
【０００３】
電気通信ユニットを有するレンズアダプタでは、電気通信ユニットとカメラとを電気的に接続する接点部の数が多いため、カメラとの接点部同士の電気的な接続の信頼性や接触部分の耐久性が要求される。
【０００４】
そこで、レンズアダプタの接点部とカメラの接点部との双方を互いに接触する方向に付勢した状態で光軸方向に移動可能に支持した複数の可動接点ピンで構成した技術が提案されている（特許文献１）。
【先行技術文献】
【特許文献】
【０００５】
【特許文献１】特開平７−８４３０７号公報
【発明の概要】
【発明が解決しようとする課題】
【０００６】
しかし、上記特許文献１では、フランジバック（レンズアダプタから撮像素子までの距離）の微調整を行うためにレンズアダプタとカメラとの間にスペーサを介在させた場合、レンズアダプタ側の接点ピンとカメラ側の接点ピンとの接触位置が変化する。このため、レンズアダプタ側の接点ピンとカメラ側の接点ピンとの接触圧が変化して電気的な接続の信頼性が低下するおそれがある。
【０００７】
そこで、本発明は、電気通信ユニットを有するレンズアダプタと撮像装置との間にスペーサを介在させる場合でも、簡単な構造でレンズアダプタと撮像装置との電気的な接続の信頼性を確保することができる技術を提供することを目的とする。
【課題を解決するための手段】
【０００８】
上記目的を達成するために、本発明は、交換レンズがレンズアダプタを介して着脱可能に装着され、前記レンズアダプタに設けられた電気通信ユニットを介して前記交換レンズと通信が可能に接続される撮像装置であって、前記電気通信ユニットの端子と電気的に接続される電気接続部が櫛歯状端子により形成され、前記櫛歯状端子は、前記電気通信ユニットの端子との接触部が前記電気通信ユニットの端子に対して摺動可能に設けられていることを特徴とする。
【発明の効果】
【０００９】
本発明によれば、電気通信ユニットを有するレンズアダプタと撮像装置との間にスペーサを介在させる場合でも、簡単な構造でレンズアダプタと撮像装置との電気的な接続の信頼性を確保することができる。
【図面の簡単な説明】
【００１０】
【図１】本発明の撮像装置の実施形態の一例であるデジタルカメラにレンズアダプタを介して交換レンズが装着されている状態を正面側（被写体側）から見た斜視図である。
【図２】交換レンズを背面側から見た斜視図である。
【図３】（ａ）は撮像素子ユニットを正面側から見た分解斜視図、（ｂ）は（ａ）に示す撮像素子ユニットを背面側から見た分解斜視図である。
【図４】（ａ）は撮像素子保護ユニットを正面側から見た分解斜視図、（ｂ）は（ａ）に示す撮像素子保護ユニットを背面側から見た分解斜視図である。
【図５】（ａ）は固定ユニットを正面側から見た分解斜視図、（ｂ）は（ａ）に示す固定ユニットを背面側から見た分解斜視図である。
【図６】図５（ａ）に示す固定ユニットの組立体の斜視図である。
【図７】（ａ）は固定ユニットを構成する電気通信ユニットを正面側から見た斜視図、（ｂ）は（ａ）に示す電気通信ユニットを背面側から見た斜視図である。
【図８】（ａ）はレンズアダプタを正面側から見た分解斜視図、（ｂ）は（ａ）に示すレンズアダプタを背面側から見た分解斜視図である。
【図９】（ａ）はレンズアダプタの電気通信ユニットと保持部材を正面側から見た分解斜視図、（ｂ）は（ａ）に示す電気通信ユニットと保持部材を背面側から見た分解斜視図である。
【図１０】電気通信ユニットの電気接続部を背面側下方から見た斜視図である。
【図１１】レンズアダプタを正面側から光軸方向に見た図である。
【図１２】レンズアダプタをカメラに組み込んだ状態での弾性部材を示す要部断面図である。
【図１３】カメラに対してスペーサを介してレンズアダプタを取り付ける様子を示す斜視図である。
【図１４】カメラに取り付けられたレンズアダプタに交換レンズが装着された状態を上面側から見た要部断面図である。
【図１５】カメラに取り付けられたレンズアダプタに交換レンズが装着された状態を側面側から見た要部断面図である。
【図１６】レンズアダプタの電気通信ユニットの複数の接点部とカメラの電気通信ユニットの複数の接点部とが電気的に接続された状態を示す要部断面図である。
【図１７】レンズアダプタ側の接点部とカメラ側の接点部との電気的な接続状態を示す拡大図である。
【発明を実施するための形態】
【００１１】
以下、図面を参照して、本発明の実施形態の一例を説明する。
【００１２】
図１は、本発明の撮像装置の実施形態の一例であるデジタルカメラにレンズアダプタを介して交換レンズが装着されている状態を正面側（被写体側）から見た斜視図である。なお、図１では、デジタルカメラ１００及び交換レンズ１５０は、説明の便宜上、破線で図示している。また、本実施形態では、撮像装置の一例としてデジタルカメラを例示するが、これに限定されない。
【００１３】
図１に示すように、本実施形態のデジタルカメラ１００（以下、カメラ１００という。）の正面側には、レンズアダプタ４００を介して交換レンズ１５０が着脱可能に装着されている。カメラ１００には、撮像素子ユニット３００、撮像素子保護ユニット３５０、及び固定ユニット２００が設けられている。
【００１４】
図２は、交換レンズ１５０を背面側（カメラ１００への装着面側）から見た斜視図である。図２に示すように、交換レンズ１５０の背面側には、マウント部１５１が設けられ、マウント部１５１の径方向内側には、係合爪部１５２ａ〜１５２ｃが周方向に略等間隔で設けられている。また、交換レンズ１５０の背面側の係合爪部１５２ｂと係合爪部１５２ｃとの間には、電気接続部１５３が設けられている。
【００１５】
図３（ａ）は撮像素子ユニット３００を正面側から見た分解斜視図、図３（ｂ）は図３（ａ）に示す撮像素子ユニット３００を背面側から見た分解斜視図である。図３に示すように、撮像素子ユニット３００は、撮像素子３１０が実装される素子基板３２０と、素子基板３２０に実装された撮像素子３１０を保持する保持部材３３０とを備える。
【００１６】
撮像素子３１０は、交換レンズ１５０を通過して撮像面３１１に結像した被写体像を光電変換して画像信号を出力する。素子基板３２０は、撮像素子３１０から出力された画像信号に対して所定の処理を施して不図示のメイン基板に出力する。保持部材３３０の中央部には、固定部３３１が設けられ、固定部３３１には、素子基板３２０に実装された撮像素子３１０が接着等により固定される。
【００１７】
図４（ａ）は撮像素子保護ユニット３５０を正面側から見た分解斜視図、図４（ｂ）は図４（ａ）に示す撮像素子保護ユニット３５０を背面側から見た分解斜視図である。撮像素子保護ユニット３５０は、レンズアダプタ４００と撮像素子ユニット３００との間に配置され、図４に示すように、中央部に露光開口部３７２が形成された略矩形枠状の保持部材３７０を備える。保持部材３７０の背面側において、露光開口部３７２の周囲には、撮像素子３１０側に突出する固定部３７１が設けられ、固定部３７１には、ガラス部材３６０が両面テープ等によって固定されている。また、保持部材３７０の固定部３７１の周囲の面には、固定ユニット２００と面接触する接触部３７３が設けられている。
【００１８】
図５（ａ）は固定ユニット２００を正面側から見た分解斜視図、図５（ｂ）は図５（ａ）に示す固定ユニット２００を背面側から見た分解斜視図である。図６は、図５（ａ）に示す固定ユニット２００の組立体の斜視図である。図７（ａ）は固定ユニット２００を構成する電気通信ユニット２５０を正面側から見た斜視図、図７（ｂ）は図７（ａ）に示す電気通信ユニット２５０を背面側から見た斜視図である。
【００１９】
図５及び図６に示すように、固定ユニット２００は、略円環状の固定部材２１０を有する。固定部材２１０の正面側には、図５（ａ）に示すように、撮像素子保護ユニット３５０が固定される固定部２２１、及びレンズアダプタ４００が固定される固定部２２３ａ〜２２３ｄが設けられている。また、固定部材２１０の正面側には、レンズアダプタ４００の後述するリング状の弾性部材４９０（図１２参照）が光軸方向に接触する接触部２３０が設けられ、固定部材２１０の底部には、空気孔２２５が形成されている。
【００２０】
空気孔２２５は、交換レンズ１５０をレンズアダプタ４００を介してカメラ１００に装着した状態において、レンズアダプタ４００と撮像素子保護ユニット３５０との間の通風抵抗の最も小さい領域に配置されている。
【００２１】
これにより、交換レンズ１５０のフォーカス動作やズーム動作等により、この領域に空気の流動が発生した場合には、空気孔２２５に向かって空気が流れる構造となっている。つまり、レンズアダプタ４００と撮像素子保護ユニット３５０との間の領域に浮遊している塵埃等の異物を空気孔２２５に誘導することができる。ここで、浄化フィルタや接着剤等を空気孔２２５近傍に配置して異物を付着させることで、レンズアダプタ４００と撮像素子保護ユニット３５０との間の領域に異物が残存するのを回避することができる。
【００２２】
固定部２２１には、撮像素子保護ユニット３５０の保持部材３７０に設けられた接触部３７３が面接触する。このため、部材同士の合わせ部は密閉構造となり、部材同士の合わせ部から撮像素子ユニット３００に塵埃等の異物が侵入するのを防ぐことが可能となる。
【００２３】
一方、固定部材２１０の背面側には、図５（ｂ）に示すように、電気通信ユニット２５０が固定される固定部２２０、及び撮像素子ユニット３００が固定される固定部２２２ａ〜２２２ｃが設けられている。電気通信ユニット２５０は、端子部材２６０を保持する保持部材２７０を有する。
【００２４】
固定部２２０には、電気通信ユニット２５０の保持部材２７０に設けられた接触部２７１が面接触する。このため、部材同士の合わせ部は密閉構造となり、部材同士の合わせ部から撮像素子ユニット３００側に塵埃等の異物が侵入するのを防ぐことが可能となる。また、保持部材２７０には、端子部材２６０がインサート成形され、これにより、保持部材２７０と端子部材２６０との間から塵埃等の異物が侵入することができない密閉構造となる。
【００２５】
端子部材２６０は、板状端子からなる接点部２６２ａ〜２６２ｊ、及びピン状端子からなる接点部２６６ａ〜２６６ｊを有する。接点部２６２ａ〜２６２ｊは、レンズアダプタ４００側に向けて光軸方向に突設され、接点部２６６ａ〜２６６ｊは、撮像素子３１０側に向けて光軸方向に突設されている。端子部材２６０は、本発明の電気接続部の一例に相当する。
【００２６】
固定部２２２ａ〜２２２ｃは、不図示のスペーサを介して撮像素子ユニット３００に固定される。固定部２２２ａ〜２２２ｃと撮像素子ユニット３００との間にスペーサを挟むことで、フランジバックを調整することが可能となる。フランジバックとは、レンズアダプタの種類ごとに規定されており、本実施形態では、後述する固定マウント部材４１０のマウント部４１１（図８（ａ）参照）から撮像素子ユニット３００の撮像素子３１０の撮像面３１１までの距離のことである。
【００２７】
図８（ａ）はレンズアダプタ４００を正面側から見た分解斜視図、図８（ｂ）は図８（ａ）に示すレンズアダプタ４００を背面側から見た分解斜視図である。図８に示すように、レンズアダプタ４００は、固定マウント部材４１０、可動マウント部材４２０、電気通信ユニット４３０、保持部材４７０、及び弾性部材４９０を有する。
【００２８】
図８（ａ）に示すように、固定マウント部材４１０の中央開口部４１２には、交換レンズ１５０の係合爪部１５２ａ〜１５２ｃが挿入される。固定マウント部材４１０の正面側の中央開口部４１２の周囲には、正面側に突出する円環状のマウント部４１１が設けられ、マウント部４１１は、交換レンズ１５０のマウント部１５１と光軸方向に当接する。
【００２９】
固定マウント部材４１０のマウント部４１１の径方向外側には、ビス挿通穴４１４ａ〜４１４ｄが周方向に略等間隔で形成されている。また、図８（ｂ）に示すように、固定マウント部材４１０の背面側内周部は、中央開口部４１２より大径に形成され、当該内周部には、雌ねじ部４１３が形成されている。
【００３０】
可動マウント部材４２０は、図８（ａ）に示すように、固定マウント部材４１０の背面側に配置され、固定マウント部材４１０の雌ねじ部４１３に螺合される円筒状の雄ねじ部４２２を有する。
【００３１】
雄ねじ部４２２の正面側内周部には、交換レンズ１５０の係合爪部１５２ａ〜１５２ｃに対して回転方向に係脱可能に係合する係合爪部４２１ａ〜４２１ｃが周方向に略等間隔で設けられている。雄ねじ部４２２の背面側外周部には、径方向外側に突出する腕部４２９ａ〜４２９ｄが周方向に略等間隔で設けられ、腕部４２９ａ〜４２９ｄは、雄ねじ部４２２の径方向外側に略同軸配置された円環状の操作部４２３に接続されている。
【００３２】
また、図８（ｂ）に示すように、雄ねじ部４２２の背面側には、弾性部材４９０が嵌合される円環状の接触部４２４が背面側に突出して設けられ、雄ねじ部４２２の背面側内周部には、検出凹部４２８が設けられている。
【００３３】
そして、レンズアダプタ４００に交換レンズ１５０を固定するには、固定マウント部材４１０のマウント部４１１に対して交換レンズ１５０のマウント部１５１を当接させた状態で、可動マウント部材４２０の操作部４２３を回転操作する。このとき、可動マウント部材４２０の係合爪部４２１ａ〜４２１ｃが交換レンズ１５０の係合爪部１５２ａ〜１５２ｃに対して回転方向に係合する。これにより、交換レンズ１５０が撮像素子ユニット３００側に引き込まれてレンズアダプタ４００に対して着脱可能に装着される。
【００３４】
図９（ａ）はレンズアダプタ４００の電気通信ユニット４３０と保持部材４７０を正面側から見た分解斜視図、図９（ｂ）は図９（ａ）に示す電気通信ユニット４３０と保持部材４７０を背面側から見た分解斜視図である。
【００３５】
図９に示すように、電気通信ユニット４３０は、電気接続部４４０，４５０、電気接続部４４０を支持する支持部材４６０、及び電気接続部４４０と電気接続部４５０とを電気的に接続するフレキシブル基板４８０を有し、保持部材４７０により保持される。
【００３６】
保持部材４７０は、電気通信ユニット４３０が固定される固定部４７１と、固定マウント部材４１０に固定される腕部４７５ａ，４７５ｂとを有する。電気接続部４４０は、交換レンズ１５０の電気接続部１５３と電気的に接続され、電気接続部４５０は、固定ユニット２００の電気通信ユニット２５０の端子部材２６０を構成する接点部２６２ａ〜２６２ｊと電気的に接続される。
【００３７】
電気接続部４４０は、ピン形状の接点部４４１ａ〜４４１ｈを有する。接点部４４１ａ〜４４１ｈは、支持部材４６０の正面側に形成された複数の支持孔４６０ａに対して、不図示の付勢部材により交換レンズ１５０側に付勢された状態で光軸方向に移動可能にそれぞれ支持される。複数の支持孔４６０ａは、光軸を中心として円弧状に配置されている。
【００３８】
支持部材４６０の正面側の複数の支持孔４６０ａの下側の壁部には、弾性部材４９０が接触する接触部４６２が設けられ、接触部４６２は、複数の支持孔４６０ａと同様に、光軸を中心として円弧状に設けられている。また、支持部材４６０の接触部４６２の下側両側には、ビス挿通孔４６１ａ，４６１ｂが形成されている。
【００３９】
支持部材４６０の上面部には、光軸を中心として円弧状に形成された円弧凹部４６４が設けられている。支持部材４６０の円弧凹部４６４の正面側には、遮光壁部４６５が立設され、円弧凹部４６４の背面側には、斜め下方に傾斜する切り欠き部４６６が設けられている。
【００４０】
フレキシブル基板４８０の正面側中央には、メカニカルスイッチ４８１が実装されている。メカニカルスイッチ４８１は、スイッチ部４８３を有し、スイッチ部４８３が押下されたとき、交換レンズ１５０とカメラ１００との間の電気通信のオン／オフを切り替える。本実施形態では、スイッチ部４８３が押下されたとき、交換レンズ１５０とカメラ１００との間の電気通信がオンとなる。また、フレキシブル基板４８０の両側には、パターン露出部４８２ａ，４８２ｂが支持部材４６０のビス挿通孔４６１ａ，４６１ｂに対応して設けられている。パターン露出部４８２ａ，４８２ｂは、ビス挿通孔４６１ａ，４６１ｂの周囲に沿って配置されている。
【００４１】
図１０は、電気通信ユニット４３０の電気接続部４５０を背面側下方から見た斜視図である。図１１は、レンズアダプタ４００を正面側から光軸方向に見た図である。
【００４２】
図１０に示すように、電気接続部４５０は、複数の開口部４５１を有し、複数の開口部４５１には、それぞれ接点部４５１ａ〜４５１ｊが固定ユニット２００の電気通信ユニット２５０を構成する接点部２６２ａ〜２６２ｊに対応して設けられている。
【００４３】
開口部４５１は、底面側開口部４５２及び背面側開口部４５３により構成され、底面側開口部４５２は、カメラ１００の底面側に開口し、背面側開口部４５３は、カメラ１００の背面側に底面側開口部４５２に連続して開口している。
【００４４】
また、図１１に示すように、カメラ１００側（固定ユニット２００側）の電気接続部４５０は、交換レンズ１５０側の電気接続部４４０より径方向外側に配置されている。このような配置とすることで、光軸投影上、電気接続部４５０が固定マウント部材４１０と固定ユニット２００の電気通信ユニット２５０に覆われた状態となる。
【００４５】
このため、電気接続部４５０に不用意に触れることがなくなるため、電気的な接触面が汚れることを防ぎ、安定した電気通信を行うことが可能となる。また、本実施形態のレンズアダプタ４００より大きな開口部が必要なレンズアダプタに交換した場合でも、光軸投影上、電気接続部４５０が露出する可能性が低くなり、上記同様に、安定した電気通信を行うことが可能となる。
【００４６】
図１２は、レンズアダプタ４００をカメラ１００に組み込んだ状態での弾性部材４９０の要部断面図である。図１２に示すように、弾性部材４９０は、正面側に配置される第１円環部４９２と、背面側に配置される第２円環部４９３とにより、リング状に形成されている。第１円環部４９２は、可動マウント部材４２０の接触部４２４に嵌合される。かかる嵌合状態では、第１円環部４９２は、径方向外側に拡径変形してその内周部４９４が可動マウント部材４２０の接触部４２４に対して径方向内側に圧接した状態で嵌合される。
【００４７】
第２円環部４９３は、背面側（カメラ１００側）に向けて径方向外側に次第に拡径するリップ部４９５を有し、リップ部４９５は、第１円環部４９２よりも薄肉に形成されている。そして、リップ部４９５は、固定マウント部材４１０に固定される電気通信ユニット４３０の支持部材４６０に設けられた円弧状の接触部４６２に対して圧接した状態で部分的に接触する。
【００４８】
レンズアダプタ４００をカメラ１００に組み込んだ状態では、レンズアダプタ４００側の接触部４６２とカメラ１００側の接触部２３０とは、光軸と略直交する平面上に配置され、かつ円周方向に略連続して配置される。そして、弾性部材４９０のリップ部４９５は、カメラ１００の固定部材２１０に設けられた円弧状の接触部２３０に対して圧接した状態で接触する。即ち、弾性部材４９０のリップ部４９５は、周方向の一部がレンズアダプタ４００側の接触部４６２に接触し、周方向の残部がカメラ１００側の接触部２３０に接触する。
【００４９】
このとき、第２円環部４９３のリップ部４９５は、光軸方向に圧縮変形すると同時に、径方向外側に拡径変形する。つまり、第２円環部４９３は、接触部４６２，２３０に対して、圧縮変形による圧接だけではなく、倒れ変形によっても圧接しているため、第１円環部４９２よりも変形量が大きくなる。
【００５０】
これにより、たとえば、部品の寸法精度のばらつき等で弾性部材４９０が圧接すべき部分、即ち、支持部材４６０の接触部４６２と固定部材２１０の接触部２３０との位置が変動しても、常に弾性部材４９０の圧接状態を維持することができる。また、塵埃等の異物が交換レンズ１５０の光路上に侵入することを防ぐ防塵構造となり、撮像素子３１０の撮像面３１１への異物の写り込みを防止することが可能となる。更に、カメラの周辺で不用意な発光が生じても、交換レンズ１５０の光路上に光が侵入することを防ぐ遮光構造となり、撮像素子３１０の撮像面３１１への写り込みを防止することが可能となる。
【００５１】
図１３は、カメラ１００に対してスペーサ２４０を介してレンズアダプタ４００を取り付ける様子を示す斜視図である。図１４は、カメラ１００に取り付けられたレンズアダプタ４００に交換レンズ１５０が装着された状態を上面側から見た要部断面図である。
【００５２】
図１３及び図１４に示すように、レンズアダプタ４００は、固定マウント部材４１０のビス挿通穴４１４ａ〜４１４ｄに挿入したビスによりカメラ１００の固定部材２１０に設けられた固定部２２３ａ〜２２３ｄにスペーサ２４０を介して着脱可能に締結される。このとき、スペーサ２４０の厚さを変えることで、フランジバックを調整することが可能になる。なお、レンズアダプタ４００とカメラ１００とを固定する手段は、ビスに限定されず、その他の固定手段であってもよい。
【００５３】
図１５は、カメラ１００に取り付けられたレンズアダプタ４００に交換レンズ１５０が装着された状態を側面側から見た要部断面図である。図１５に示すように、交換レンズ１５０の電気接続部１５３は、レンズアダプタ４００の電気通信ユニット４３０の電気接続部４４０に電気的に接続されている。
【００５４】
また、レンズアダプタ４００の電気通信ユニット４３０の電気接続部４５０は、カメラ１００の電気通信ユニット２５０の端子部材２６０に図中の範囲３９９で電気的に接続される。これにより、交換レンズ１５０とカメラ１００との間で電気的な通信を行うことが可能となる。
【００５５】
図１６は、電気接続部４５０（レンズアダプタ４００側）の複数の接点部４５１ａ〜４５１ｊと端子部材２６０（カメラ１００側）の複数の接点部２６２ａ〜２６２ｊとが電気的に接続された状態を示す要部断面図である。図１７は、電気接続部４５０の接点部４５１ａと端子部材２６０の接点部２６２ａとの電気的な接続状態を示す拡大図である。
【００５６】
フランジバックを調整する際には、スペーサ２４０の厚さの変化量に応じて電気接続部４５０の接点部４５１ａ〜４５１ｊと端子部材２６０の接点部２６２ａ〜２６２ｊとの接触位置は、光軸方向（図１７の矢印方向）に変化する。かかる接触位置は、図１５に示す範囲３９９内で光軸方向に変化する。なお、範囲３９９の光軸方向の長さは、スペーサ２４０の厚さの変化量、つまりフランジバックの調整量よりも十分に長く設定されている。
【００５７】
ここで、本実施形態では、カメラ１００側の端子部材２６０の複数の接点部２６２ａ〜２６２ｊは、前述したように、それぞれ光軸方向に延びる板状端子により構成され、カメラ１００の底面側に配置されている。そして、複数の接点部２６２ａ〜２６２ｊは、図１６に示すように、それぞれの板面を光軸と直交するカメラ１００の幅方向（図１６の上下方向）に互いに対向させた状態で並設されて櫛歯状端子を形成している。
【００５８】
一方、レンズアダプタ４００側の電気接続部４５０の複数の接点部４５１ａ〜４５１ｊは、図１７に示すように、端子部材２６０の接点部２６２ａ〜２６２ｊの板面をそれぞれ板厚方向に挟み込む複数の一対の弾性接触片４５５により櫛歯状に形成されている。
【００５９】
接点部４５１ａを構成する一対の弾性接触片４５５を例に採って説明すると、一対の弾性接触片４５５は、端子部材２６０の接点部２６２ａの板面を板厚方向に挟み込む方向に付勢されて、接点部２６２ａに対して光軸方向に摺動可能に設けられている。また、一対の弾性接触片４５５の接点部２６２ａの板面との接触部４５４は、球面状に形成されている。
【００６０】
これにより、スペーサ２４０の厚さの変化量に応じてレンズアダプタ４００側の接点部４５１ａ〜４５１ｊとカメラ１００側の接点部２６２ａ〜２６２ｊとの接触位置が光軸方向に変化しても、接触圧を一定にすることができる。このため、接触圧の変化に起因する接触面のセルフクリーニング性能の低下、メッキ剥がれの耐久性等の低下や振動時の導通信頼性、即ち電気的接続の信頼性の低下を回避することができる。
【００６１】
以上説明したように、本実施形態では、電気通信ユニットを有するレンズアダプタ４００とカメラ１００との間にスペーサ２４０を介在させる場合でも、簡単な構造でレンズアダプタ４００とカメラ１００との電気的接続の信頼性を確保することができる。
【００６２】
なお、本発明の構成は、上記実施形態に例示したものに限定されるものではなく、材質、形状、寸法、形態、数、配置箇所等は、本発明の要旨を逸脱しない範囲において適宜変更可能である。
【００６３】
例えば、上記実施形態では、レンズアダプタ４００側の接点部４５１ａ〜４５１ｊを複数の一対の弾性接触片４５５で構成した櫛歯状端子とし、カメラ１００側の接点部２６２ａ〜２６２ｊを複数の板状端子で構成した櫛歯状端子としたが、これに限定されない。即ち、レンズアダプタ４００側の接点部４５１ａ〜４５１ｊ及びカメラ１００側の接点部２６２ａ〜２６２ｊうちの一方を複数の板状端子で構成し、他方を複数の一対の弾性接触片４５５で構成してもよい。
【符号の説明】
【００６４】
１００  カメラ
１５０  交換レンズ
２６０  端子部材
２６２ａ〜２６２ｊ  接点部
４００  レンズアダプタ
４３０  電気通信ユニット
４５０  電気接続部
４５１ａ〜４５１ｊ  接点部
４５５  一対の弾性接触片
【図１】
2019133194.tif 000003
【図２】
2019133194.tif 000004
【図３】
2019133194.tif 000005
【図４】
2019133194.tif 000006
【図５】
2019133194.tif 000007
【図６】
2019133194.tif 000008
【図７】
2019133194.tif 000009
【図８】
2019133194.tif 000010
【図９】
2019133194.tif 000011
【図１０】
2019133194.tif 000012
【図１１】
2019133194.tif 000013
【図１２】
2019133194.tif 000014
【図１３】
2019133194.tif 000015
【図１４】
2019133194.tif 000016
【図１５】
2019133194.tif 000017
【図１６】
2019133194.tif 000018
【図１７】
2019133194.tif 000019
【手続補正書】
【提出日】令和1年5月21日(2019.5.21)
【手続補正２】
【補正対象書類名】明細書
【補正対象項目名】０００１
【補正方法】変更
【補正の内容】
【０００１】
本発明は、撮像装置の装置本体及び交換レンズを着脱可能なレンズアダプタに関する。
【手続補正３】
【補正対象書類名】明細書
【補正対象項目名】０００７
【補正方法】変更
【補正の内容】
【０００７】
そこで、本発明は、レンズアダプタと撮像装置との間にスペーサを介在させる場合でも、簡単な構造でレンズアダプタと撮像装置との電気的な接続の信頼性を確保することができる技術を提供することを目的とする。
【手続補正４】
【補正対象書類名】明細書
【補正対象項目名】０００８
【補正方法】変更
【補正の内容】
【０００８】
上記目的を達成するために、本発明は、撮像装置の装置本体及び交換レンズを着脱可能なレンズアダプタであって、前記レンズアダプタが前記装置本体に装着された状態において前記装置本体に設けられた第１の櫛歯状端子と電気的に接続される第１の端子と、前記レンズアダプタに前記交換レンズが装着された状態において前記交換レンズに設けられた接続部と電気的に接続され、且つ前記第１の端子とは異なる第２の端子と、を有し、前記第１の端子と前記第１の櫛歯状端子との接触位置が光軸と平行な方向へ相対的に移動可能であることを特徴とする。
【手続補正５】
【補正対象書類名】明細書
【補正対象項目名】０００９
【補正方法】変更
【補正の内容】
【０００９】
本発明によれば、レンズアダプタと撮像装置との間にスペーサを介在させる場合でも、簡単な構造でレンズアダプタと撮像装置との電気的な接続の信頼性を確保することができる。
【手続補正６】
【補正対象書類名】特許請求の範囲
【補正対象項目名】全文
【補正方法】変更
【補正の内容】
【特許請求の範囲】
【請求項１】
撮像装置の装置本体及び交換レンズを着脱可能なレンズアダプタであって、
前記レンズアダプタが前記装置本体に装着された状態において前記装置本体に設けられた第１の櫛歯状端子と電気的に接続される第１の端子と、
前記レンズアダプタに前記交換レンズが装着された状態において前記交換レンズに設けられた接続部と電気的に接続され、且つ前記第１の端子とは異なる第２の端子と、
を有し、
前記第１の端子と前記第１の櫛歯状端子との接触位置が光軸と平行な方向へ相対的に移動可能であることを特徴とするレンズアダプタ。
【請求項２】
前記第１の端子は複数の板状の端子によって形成された第２の櫛歯状端子であり、前記光軸と直交する方向において、当該複数の端子のそれぞれの板面が対向するように並設されていることを特徴とする請求項１に記載のレンズアダプタ。
【請求項３】
前記第１の端子が前記光軸と直交する方向において前記第１の櫛歯状端子と接触することにより、前記第１の端子と前記第１の櫛歯状端子との接触位置が前記光軸と平行な方向へ相対的に移動可能となることを特徴とする請求項１又は２に記載のレンズアダプタ。
【請求項４】
前記第１の端子は、前記光軸と直交する径方向において、前記第２の端子と重畳する位置に配されていることを特徴とする請求項１乃至３のいずれ１項に記載のレンズアダプタ。
【請求項５】
前記装置本体へ前記レンズアダプタが装着される際、前記装置本体と前記レンズアダプタとの間にスペーサを挿入可能であり、
前記光軸と平行な方向における前記第１の端子と前記第１の櫛歯状端子との接触位置は、前記装置本体と前記レンズアダプタとの間に挿入された前記スペーサの厚みに応じて移動することを特徴とする請求項１乃至４のいずれ１項に記載のレンズアダプタ。